(57)【要約】      （修正有）【課題】水筒（飲料容器）に飲料物を入れる手間を省き、マイ水筒をおしゃれで便利なツールとするための飲料容器情報管理システムを提供する。【解決手段】飲料物を保管する飲料容器と、複数の飲料物を保持し、前記飲料容器に飲料物を充填する飲料物充填装置と、双方を管理する管理装置と、により構成される。前記飲料容器は、前記飲料物充填装置に、前記飲料容器が有する固有情報と履歴情報を送信し、前記飲料容器保持者によって購入が決定された飲料物の飲料物情報を前記飲料物充填装置から受信する通信手段と、受信した飲料物情報を前記履歴情報に記憶する記憶手段と、を有し、前記飲料物充填装置は、飲料物情報を記憶する記憶手段と、購入すると決定された飲料物の飲料物情報を取得する取得手段と、前記飲料物情報を前記飲料容器へ送信する第一の通信手段と、前記飲料容器の固有情報と前記飲料物情報を前記管理装置に送信する第二の通信手段とを有する。【選択図】図１ａ
2010049576.tif 000002
【特許請求の範囲】
【請求項１】
飲料物を保管する飲料容器と、一又は複数の飲料物を保持し、前記飲料容器に前記一又は複数の飲料物のうちの一の飲料物を充填する飲料物充填装置と、前記飲料容器と前記飲料物充填装置とを管理する管理装置と、により構成された飲料容器情報管理システムにおいて、
前記飲料容器は、
前記飲料物充填装置に、前記飲料容器が有する固有情報と履歴情報を送信し、前記飲料容器を保持する飲料容器保持者によって購入が決定された飲料物の飲料物情報を前記飲料物充填装置から受信する通信手段と、
前記通信手段により受信した飲料物情報を前記履歴情報に記憶する記憶手段と、
を有し、
前記飲料物充填装置は、
前記一又は複数の飲料物に関する飲料物情報を記憶する記憶手段と、
前記記憶手段に記憶されている飲料物情報の中から、前記飲料容器保持者によって購入すると決定された飲料物の飲料物情報を取得する飲料物情報取得手段と、
前記飲料容器から、前記飲料容器の固有情報と履歴情報を受信し、前記飲料物情報を前記飲料容器へ送信する第一の通信手段と、
前記飲料容器の固有情報と前記飲料物情報を前記管理装置に送信する第二の通信手段と、
前記飲料容器の固有情報と履歴情報と、前記飲料容器保持者が飲料物を購入する際の飲料物購入時情報とに基づいて、お薦め飲料物を表示する表示手段と、
を有し、
前記管理装置は、
前記飲料物充填装置から、前記飲料容器の固有情報と、前記飲料容器保持者によって購入すると決定された飲料物の飲料物情報と、を受信する通信手段と、
前記通信手段により受信した飲料容器の固有情報に対応付けて、前記履歴情報に前記飲料物の飲料物情報を記憶する記憶手段と、
を有することを特徴とする飲料容器情報管理システム。
【請求項２】
飲料物を保管する飲料容器と、一又は複数の飲料物を保持し、前記飲料容器に前記一又は複数の飲料物のうちの一の飲料物を充填する飲料物充填装置と、前記飲料容器と前記飲料物充填装置とを管理する管理装置と、により構成された飲料容器情報管理システムにおいて、
前記飲料容器は、
前記飲料物充填装置に、前記飲料容器が有する固有情報と履歴情報を送信し、前記飲料容器を保持する飲料容器保持者によって購入が決定された飲料物の飲料物情報と、前記飲料物容器に表示する宣伝情報と、を前記飲料物充填装置から受信する通信手段と、
前記通信手段により受信した飲料物情報を履歴情報に記憶する記憶手段と、
前記飲料容器保持者によって購入すると決定された飲料物が割引、又は、ポイント加算対象となる飲料物の場合に、前記通信手段により受信した宣伝情報を表示する表示手段と、
を有し、
前記飲料物充填装置は、
前記一又は複数の飲料物に関する飲料物情報と、前記宣伝情報と、を記憶する記憶手段と、
前記記憶手段に記憶されている飲料物情報の中から、前記飲料容器保持者によって購入すると決定された飲料物の飲料物情報を取得する飲料物情報取得手段と、
前記記憶手段に記憶されている前記宣伝情報の中から前記飲料容器保持者によって購入すると決定された飲料物に関連付けられた宣伝情報を取得する宣伝情報取得手段と、
前記飲料容器から、前記飲料容器の固有情報と履歴情報を受信し、前記飲料物情報と前記宣伝情報を前記飲料容器へ送信する第一の通信手段と、
前記飲料容器の固有情報と前記飲料物情報を前記管理装置に送信する第二の通信手段と、
前記飲料容器の固有情報と履歴情報と、前記飲料容器保持者が飲料物を購入する際の飲料物購入時情報とに基づいて、お薦め飲料物を表示し、前記飲料物の割引料金、又は、加算ポイント情報を表示する表示手段と、
を有し、
前記管理装置は、
前記飲料物充填装置から、前記飲料容器の固有情報と、前記飲料容器保持者によって購入すると決定された飲料物の飲料物情報と、を受信する通信手段と、
前記通信手段により受信した飲料容器の固有情報に対応付けて、前記履歴情報に前記飲料物の飲料物情報を記憶する記憶手段と、
を有することを特徴とする飲料容器情報管理システム。
【請求項３】
飲料物を保管する飲料容器と、一又は複数の飲料物を保持し、前記飲料容器に前記一又は複数の飲料物のうちの一の飲料物を充填する飲料物充填装置と、前記飲料容器と前記飲料物充填装置とを管理する管理装置と、により構成された飲料容器情報管理システムにおいて、
前記飲料容器は、
前記飲料物充填装置に、前記飲料容器が有する固有情報と履歴情報を送信し、前記飲料容器を保持する飲料容器保持者によって購入が決定された飲料物の飲料物情報と、前記飲料物容器に表示する宣伝情報と、を前記飲料物充填装置から受信する通信手段と、
前記通信手段により受信した宣伝情報を表示する表示手段と、
前記通信手段により受信した飲料物情報を履歴情報に記憶する記憶手段と、
を有し、
前記飲料物充填装置は、
前記一又は複数の飲料物に関する飲料物情報と、前記宣伝情報と、を記憶する記憶手段と、
前記記憶手段に記憶されている飲料物情報の中から、前記飲料容器保持者によって購入すると決定された飲料物の飲料物情報を取得する飲料物情報取得手段と、
前記飲料物情報取得手段により取得された飲料物情報と、前記通信手段により受信された飲料容器の固有情報と履歴情報と、前記飲料容器保持者が飲料物を購入する際の飲料物購入時情報の少なくともいずれか一つに基づいて、前記記憶手段に記憶されている前記宣伝情報の中から任意の宣伝情報を取得する宣伝情報取得手段と、
前記飲料容器から、前記飲料容器の固有情報と履歴情報を受信し、前記飲料物情報と前記宣伝情報を前記飲料容器へ送信する第一の通信手段と、
前記飲料容器の固有情報と前記飲料物情報を前記管理装置に送信する第二の通信手段と、
前記飲料容器の固有情報と履歴情報と、前記飲料容器保持者が飲料物を購入する際の飲料物購入時情報とに基づいて、お薦め飲料物を表示し、前記飲料物の割引料金、又は、加算ポイント情報を表示する表示手段と、
を有し、
前記管理装置は、
前記飲料物充填装置から、前記飲料容器の固有情報と、前記飲料容器保持者によって購入すると決定された飲料物の飲料物情報と、を受信する通信手段と、
前記通信手段により受信した飲料容器の固有情報に対応付けて、前記履歴情報に前記飲料物の飲料物情報を記憶する記憶手段と、
を有することを特徴とする飲料容器情報管理システム。
【請求項４】
飲料物を保管する飲料容器と、一又は複数の飲料物を保持し、前記飲料容器に前記一又は複数の飲料物のうちの一の飲料物を充填する飲料物充填装置と、前記飲料容器と前記飲料物充填装置とを管理する管理装置と、により構成された飲料容器情報管理システムにおいて、
前記飲料容器は、
所定の条件を感知する感知手段と、
前記飲料物充填装置に、前記飲料容器が有する固有情報と履歴情報と前記感知手段により取得した感知情報を送信し、前記飲料容器を保持する飲料容器保持者によって購入が決定された飲料物の飲料物情報を前記飲料物充填装置から受信する通信手段と、
前記通信手段により受信した飲料物情報を前記履歴情報に記憶する記憶手段と、
を有し、
前記飲料物充填装置は、
前記一又は複数の飲料物に関する飲料物情報を記憶する記憶手段と、
前記記憶手段に記憶されている飲料物情報の中から、前記飲料容器保持者によって購入すると決定された飲料物の飲料物情報を取得する飲料物情報取得手段と、
前記飲料容器から、前記飲料容器の固有情報と履歴情報と前記感知情報を受信し、前記飲料物情報を前記飲料容器へ送信する第一の通信手段と、
前記飲料容器の固有情報と前記飲料物情報と前記感知情報を前記管理装置に送信する第二の通信手段と、
前記飲料容器の固有情報と履歴情報と前記感知情報と、前記飲料容器保持者が飲料物を購入する際の飲料物購入時情報とに基づいて、お薦め飲料物を表示する表示手段と、
を有し、
前記管理装置は、
前記飲料物充填装置から、前記飲料容器の固有情報と、前記飲料容器保持者によって購入すると決定された飲料物の飲料物情報と、前記感知情報と、を受信する通信手段、
前記通信手段により受信した飲料容器の固有情報に対応付けて、前記履歴情報に前記飲料物の飲料物情報と、前記感知情報を記憶する記憶手段と、
を有することを特徴とする飲料容器情報管理システム。
【請求項５】
請求項４に記載の飲料容器情報管理システムにおいて、
前記感知手段は、液面センサ、液温センサ、揺れ検知センサ、外気温センサ、心拍センサ、血圧センサ、照度センサ、個人認証センサの少なくともいずれか一つであることを特徴とする飲料容器情報管理システム。
【請求項６】
請求項３に記載の飲料容器情報管理システムにおいて、
前記飲料物情報とは、飲料物の固有情報、付随情報であることを特徴とする飲料容器情報管理システム。
【請求項７】
請求項３に記載の飲料容器情報管理システムにおいて、
前記飲料物購入時情報とは、前記飲料物充填装置の設置位置、前記飲料物の購入日付時間であることを特徴とする飲料容器情報管理システム。
【発明の詳細な説明】
【技術分野】
【０００１】
本発明は、飲料容器情報管理システムに関する。
【背景技術】
【０００２】
近年、街の至る所に設置されている自動販売機により、アルミ缶や、ペットボトル等に充填された様々な種類の飲料物が売られており、いつでも飲みたい時に飲料物を購入することができる。しかし、飲料物を飲み終わったアルミ缶や、ペットボトル等は多大な廃棄物となり、資源の無駄ともいわれている。
【特許文献１】特開２０００−３４４２４４号公報
【発明の開示】
【発明が解決しようとする課題】
【０００３】
このような状況において最近では、昔よく使われていた水筒（飲料容器）が見直されており、自動販売機によりペットボトルを買う代わりに、自分のマイ水筒に飲料物を入れて持ち歩く人も増えている。
【０００４】
しかしながら、水筒には自分で飲料物を入れなければならないため、水筒に飲料物を入れる手間がかかるうえ、水筒を持ち歩くのは不便である。更に、水筒を持ち歩くこと自体がおしゃれ性もなく、ファッション性に欠けると感じてしまうといった問題が生じていた。
【０００５】
そこで、本発明は上記の問題点に鑑みて為されたものであり、水筒（飲料容器）に飲料物を入れる手間を省き、水筒を持ち歩くのは不便であり、かつ、ファッション性に欠けると感じることを払拭させ、マイ水筒をおしゃれで便利なツールとするための飲料容器情報管理システムを提供することにある。
【課題を解決するための手段】
【０００６】
上記の課題を解決するために、請求項１に記載の発明は、飲料物を保管する飲料容器と、一又は複数の飲料物を保持し、前記飲料容器に前記一又は複数の飲料物のうちの一の飲料物を充填する飲料物充填装置と、前記飲料容器と前記飲料物充填装置とを管理する管理装置と、により構成された飲料容器情報管理システムにおいて、前記飲料容器は、前記飲料物充填装置に、前記飲料容器が有する固有情報と履歴情報を送信し、前記飲料容器を保持する飲料容器保持者によって購入が決定された飲料物の飲料物情報を前記飲料物充填装置から受信する通信手段(飲料容器飲料物充填装置間通信)と、前記通信手段により受信した飲料物情報を前記履歴情報に記憶する記憶手段と、を有し、前記飲料物充填装置は、前記一又は複数の飲料物に関する飲料物情報を記憶する記憶手段と、前記記憶手段に記憶されている飲料物情報の中から、前記飲料容器保持者によって購入すると決定された飲料物の飲料物情報を取得する飲料物情報取得手段と、前記飲料容器から、前記飲料容器の固有情報と履歴情報を受信し、前記飲料物情報を前記飲料容器へ送信する第一の通信手段(飲料容器飲料物充填装置間通信)と、前記飲料容器の固有情報と前記飲料物情報を前記管理装置に送信する第二の通信手段(飲料物充填装置管理装置間通信)と、前記飲料容器の固有情報と履歴情報と、前記飲料容器保持者が飲料物を購入する際の飲料物購入時情報とに基づいて、お薦め飲料物を表示する表示手段と、を有し、前記管理装置は、前記飲料物充填装置から、前記飲料容器の固有情報と、前記飲料容器保持者によって購入すると決定された飲料物の飲料物情報と、を受信する通信手段(飲料物充填装置管理装置間通信)と、前記通信手段により受信した飲料容器の固有情報に対応付けて、前記履歴情報に前記飲料物の飲料物情報を記憶する記憶手段と、を有することを特徴とする。
【発明を実施するための最良の形態】
【０００７】
以下に、本発明を実施するための最良の形態について図１乃至図１４を用いて説明する。本発明に係る関連情報取得システムは、飲料容器、飲料物充填装置、管理装置により構成されており、本実施形態は、飲料容器情報管理システムを、例えば、自動販売機に適用した場合の実施形態である。具体的には、飲料容器を水筒に、飲料物充填装置を自動販売機に、管理装置を飲料容器や飲料物充填装置を管理するパソコンに、それぞれ適用した場合の実施の形態である。
【０００８】
ここで、飲料容器、飲料物充填装置、管理装置について順を追って説明する。
【０００９】
[飲料容器の概要]
まず、本実施形態に係る飲料容器について、図１、２を用いて概念的に説明する。
【００１０】
図１ａは、本実施形態に係る飲料容器の概略図であり、図１ｂの（ａ）は本実施形態に係る他の飲料容器の外観を示す概略図であり、（ｂ）は、本実施形態に係る他の飲料容器の内部を示す概略図である。図２（ａ）は、飲料物保管部について説明する図であり、図２（ｂ）は、飲料物保管部の他の形態について説明する図である。
【００１１】
図１ａに示すように、本発明の飲料容器１０は、飲料物を保管するものであり、具体的には、飲料物出入部１１、飲料物保管部１２、表示手段としての表示部１３、センサ１４、電池１５、操作部１６、飲料容器用蓋１７、開口部１８により構成されている。
【００１２】
飲料物出入部１１は、後述する飲料物保管部１２に保管された飲料物を飲料物保管部１２から外部に出入する部分である。
【００１３】
飲料物保管部１２は、飲料物保管部として機能するものであり、飲料物を保管しておく部分である。具体的には、密閉容器を形成するための側壁１２ａと、端部壁１２ｂと、によって構成されている。
【００１４】
ここで、図２を用いて飲料物保管部１２について詳細に説明する。
【００１５】
図２（ａ）に示す飲料容器は、後述する飲料物充填装置により飲料物保管部１２に直接飲料物を注入する形態を示したものである。具体的には、飲料物出入部１１から飲料物を注入してもよいし、開口部１８が開くことによって、飲料物を開口部１８から注入してもよい。
【００１６】
図２（ｂ）に示す飲料容器は、後述する飲料物充填装置により飲料物保管部１２の中に
飲料物を包含した飲料パック１９を飲料物保管部１２に挿入することにより、飲料物保管部１２の中に飲料物を注入する形態を示したものである。具体的には、開口部１８が開くことによって、着脱可能な飲料パック１９を挿入することができる。また、飲料物パック１９を飲料物保管部１２から取り出すことにより飲料物を飲料物保管部から排出することができる。図２（ａ）、（ｂ）に示すどちらの飲料物保管部１２の形態においても本発明における飲料容器は適用可能である。
【００１７】
表示部１３は、表示手段として機能するものであり、後述するように飲料物充填装置から通信部を通して得られた情報を表示する部分である。具体的には、飲料の量（液量）や液温等を表示したり、飲料容器に記憶されている履歴情報や、飲料物情報や、宣伝情報を表示する部分である。
【００１８】
表示部１３は、側壁１２ａ、飲料物出入部１１の位置する近傍に設置されており、飲料容器保持者が表示部に表示された表示内容を見やすい位置に設置されている。図示する形態に限定されるものではなく、縦長に設置されてもよい。
【００１９】
表示部１３は、有機ＥＬ、無機ＥＬ、電子ペーパー、フィルム液晶等、曲面表示可能なデバイスであり、それらの上には保護膜が覆われている。
【００２０】
センサ１４は、飲料物保管部に保管されている飲料物の状態、飲料容器を保持する者である飲料容器保持者の状態、飲料容器保持者が飲料物を飲む喫飲動作、又は、飲料容器の周囲の環境状態等を感知し、情報として出力する部分である。
【００２１】
具体的には、飲料物保管部に保管されている飲料物の状態とは、例えば、飲料物保管手段に保管されている液量、液温の状態である。
【００２２】
飲料容器に保持されている飲料の残量（液量）を計測するために液面センサ１４ａが用いられる。さらに、飲料容器に保持されている飲料の液温を計測するために液温センサ１４ｂが用いられるものであり、後述する飲料容器に保持されている飲料の飲料賞味期限切れを判定する際に利用するものである。
【００２３】
飲料容器を保持する者である飲料容器保持者の状態とは、例えば、飲料容器保持者の心拍、血圧、指紋、静脈の状態である。
【００２４】
飲料容器保持者の心拍を計測するために心拍センサ１４ｄ、血圧を計測するために血圧センサ１４ｆが用いられる。飲料容器保持者が心拍センサ１４ｄ、血圧センサ１４ｆの近傍を握ることによって、心拍センサ１４ｄ、血圧センサ１４ｆが飲料容器保持者の心拍、血圧を計測するものである。よって、心拍センサ１４ｄ、血圧センサ１４ｆは、飲料容器保持者が飲料容器を持つ際に握る可能性がある部分である側壁１２ａや、飲料物出入部１１の位置する近傍に備えられている。
【００２５】
さらに、飲料容器保持者の指紋を検知するために指紋検知センサ（個人認証センサ１４ｇ）、静脈を検知するために静脈検知センサ（個人認証センサ１４ｇ）が用いられる。
【００２６】
指紋検知センサは、飲料容器保持者の指紋を検知するためのものである。飲料容器保持者の指紋情報を予め記憶部に記憶させておくことにより、指紋検知センサによって得られた指紋情報とを比較することによって、飲料容器保持者の指紋情報と一致しなかった場合には、飲料容器用蓋があかないようにしておくことによって、飲料容器保持者でない他人に飲料を飲まれることを防止することができる。
【００２７】
静脈検知センサは、飲料容器保持者の静脈を検知するためのものである。上記と同様に、飲料容器保持者の静脈情報を予め記憶部に記憶させておくことにより、静脈検知センサによって得られた静脈情報とを比較することによって、飲料容器保持者の静脈情報と一致しなかった場合には、飲料容器用蓋があかないようにしておくことによって、飲料容器保持者でない他人に飲料を飲まれることを防止することができる。
【００２８】
喫飲動作とは飲料容器保持者が飲料物を飲む動作であり、例えば、飲料容器保持者が喫飲状態か、喫飲状態でないか（静止状態か）を知ることにより、飲料容器の状態を知るために用いられるものである。喫飲動作（飲料容器の状態）を検知するために揺れ検知センサ１４ｈが用いられる。喫飲動作（飲料容器の状態）を検知するために揺れ検知センサ１４ｈが用いられる。
【００２９】
飲料容器の周囲の環境状態とは、飲料容器が置かれている照度、外気温である。
【００３０】
飲料容器利用時の温度環境を取得するために、外気温を計るために外気温センサ１４ｃが用いられ、飲料容器が置かれている環境の明るさを計測するために照度センサ１４ｅが用いられる。
【００３１】
電池１５は、飲料容器の表示部等を起動させておくのに必要な電源である。飲料物充填装置２０を用いて飲料容器に飲料を注入する場合に、飲料物充填装置により充電されるものであってもよいし、交換可能な電池であってもよい。
【００３２】
操作部１６は、飲料容器の表示部等に指示を送るためのものである。
【００３３】
飲料容器用蓋１７は、飲料物出入部から飲料物を外部に出入することを遮断するためのものである。
【００３４】
［飲料容器の構成及び機能］
次に、上述した構成を備える飲料容器の細部構成及び細部動作を図３を用いて説明する。なお、図３は、本実施形態に係る飲料容器の細部構成を示すブロック図である。
【００３５】
図３に示すように、実施形態に係る飲料容器１０は、表示手段としての表示部１３、通信手段としての通信部２３、記憶手段としての記憶部２１、制御部２２、電源１５、としてのセンサ１４、操作部１６により構成されている。
【００３６】
通信部２３は、通信手段として機能するものであり、飲料物充填装置より飲料物情報、宣伝情報を受信したり、飲料物充填装置に飲料容器の固有情報や履歴情報等の記憶部２１に記憶されている情報を送信したりする部分である。
【００３７】
記憶部２１は、記憶手段として機能するものであり、飲料物情報を履歴情報に記憶させたり、飲料容器に保持されている飲料の量（液量）や、液温、飲料容器保持者の心拍数・血圧数を記憶、さらに宣伝情報、壁紙情報を記憶する部分である。
【００３８】
電源１５、センサ１４、操作部１６については、図１における説明を参照。
【００３９】
ここで、図１ｂの（ａ）、（ｂ）に示すように、上述した情報処理手段（表示部、通信部、センサ、記憶部、制御部等）を全て飲料容器用蓋１７の部分に収容することもできる。このように飲料容器用蓋１７に各機能を全て収容することにより、飲料物を飲料物保管部１２に注入する際に、各機能が水分にさらされることを防ぐことができ、飲料容器の取り扱いもより簡便になる。
【００４０】
[飲料物充填装置の概要]
飲料物充填装置について、図４を用いて概念的に説明する。
【００４１】
図４は、飲料物充填装置の概略図である。
【００４２】
飲料物充填装置２０は、表示手段としての表示部３１、操作部３２、飲料容器配置部３３、飲料物見本展示部３４、料金徴収部３５、料金返却部３６により構成されている。
【００４３】
表示部３１は、飲料容器保持者が飲料物を充填する際に有益となる情報等を表示する部分である。
【００４４】
操作部３２は、飲料容器保持者が飲料物を充填する際に操作する部分である。
【００４５】
飲料容器設置部３３は、飲料容器に飲料物を充填したり、飲料容器を洗浄する際に、飲料容器を設置する部分である。
【００４６】
飲料見本展示部３４は、飲料容器保持者が飲料物を購入する際に飲料物の見本を展示しておく部分である。
【００４７】
料金徴収部３５は、飲料物を充填した際に、その料金を徴収する部分である。
【００４８】
料金返却部３６は、飲料容器保持者が飲料物を充填した際に、飲料物充填代を現金にて支払った場合に、そのおつり等を返却する部分である。
【００４９】
［飲料物充填装置の構成及び機能］
次に、上述した構成を備える飲料物充填装置の細部構成及び細部動作を図５を用いて説明する。なお、図５は、飲料物充填装置の細部構成を示すブロック図である。
【００５０】
飲料物充填装置２０は、表示手段としての表示部３１、操作部３２、記憶手段としての記憶部４２、充電手段としての充電部４１、飲料物充填部４４、飲料容器洗浄部４５、除去交換部４６、第一の通信手段（飲料容器飲料物充填装置間通信）としての第一通信部４７、第二の通信手段（飲料物充填装置管理装置間通信）としての第二通信部４８、飲料物情報取得手段、宣伝情報取得手段としての制御部４９により構成されている。
【００５１】
記憶部４２は、記憶手段として機能するものであり、飲料物情報や、宣伝情報を記憶しておく部分である。
【００５２】
充電部４１は、充電手段として機能するものであり、飲料容器を充電する部分である。
【００５３】
飲料物充填部４４は、洗浄した飲料保管手段に飲料物を充填する部分である。
【００５４】
飲料容器洗浄部４５は、飲料容器の飲料保管手段を洗浄する部分である。
【００５５】
除去交換部４６は、飲料容器に装着されている飲料物を除去し、他の飲料物に交換する部分である。
【００５６】
第一通信部４７は、飲料容器と飲料物充填装置間の通信手段として機能するものであり、第二通信部４８は、飲料物充填装置と管理装置間の通信手段として機能するものである。
【００５７】
制御部４９は、飲料物情報取得手段、宣伝情報取得手段として機能するものである。
【００５８】
表示部３１、操作部３２については、図１における説明を参照。
【００５９】
なお、飲料容器充填装置の代わりに飲料物充填部４４、飲料容器洗浄部４５、除去交換部４６が備わっていない（飲料容器に充填がなされない）置き台（クレードル）４０として作用させてもよい。これにより、飲料容器１０に飲料物を充填することはできないが、置き台４０と飲料容器１０との間で通信が行われることになり、情報のやりとりを行うことができる（図１４参照）。
［管理装置の構成及び機能］
次に、上述した構成を備える管理装置の細部構成及び細部動作を図６を用いて説明する。なお、図６は、管理装置の細部構成を示すブロック図である。
【００６０】
図６に示すように、実施形態に係る管理装置３０は、記憶手段としての記憶部５１、通信手段としての通信部５２、制御部５３、により構成されている。
【００６１】
記憶部５１は、記憶手段として機能するものであり、通信手段により受信した飲料容器の固有情報に対応付けて、履歴情報に飲料物の飲料物情報を記憶する部分である。
【００６２】
通信部５２は、通信手段として機能するものであり、飲料物充填装置から、飲料容器の固有情報と履歴情報と、飲料容器保持者によって購入すると決定された飲料物の飲料物情報と、を受信する部分である。また、飲料物充填装置へ飲料物情報や宣伝情報を送信する部分でもある。
【００６３】
［飲料物充填処理］    
次に、図７のフローチャートを用いて、飲料物充填処理について説明する。
【００６４】
図７は、飲料物充填処理を示すフローチャートである。
【００６５】
まず、飲料容器が飲料物充填装置に配置されたか否かを判定する（ステップＳ１１）。
【００６６】
飲料容器が飲料物充填装置に配置された場合（ステップＳ１１：ＹＥＳ）には、飲料容器を充電する（ステップＳ１２）。
【００６７】
具体的には、飲料容器の表示部に何らかの表示内容を表示するためには、飲料容器に電池が必要であり、その電池を充電する部分である。なお、電池交換型の場合には省略可能である。
【００６８】
次に、飲料容器の飲料保管部が交換型か否かを判定する（ステップＳ１３）。
【００６９】
具体的には、飲料容器の飲料保管部が交換型（パック式）である場合（図２（ｂ）参照）には、飲料保管部１２の中に着脱可能であり、飲料が入った飲料パック１８を挿入することによって、飲料保管部１２の中に飲料を注入することができる。
【００７０】
一方、飲料容器の飲料保管部が交換型（パック式）でない場合（図２（ａ）参照）には、飲料保管部１２に直接飲料を注入することによって、飲料保管部１２の中に飲料を注入することができる。
【００７１】
よって、飲料容器の種類によって、飲料を充填する方法が異なるため、飲料容器の形状を調べる。
【００７２】
飲料容器の飲料保管部が交換型（パック式）である場合には（ステップＳ１３：ＹＥＳ）、旧パックを除去し、新パックを装着する（ステップＳ１４）。
【００７３】
一方、飲料容器の飲料保管部が交換型（パック式）でない場合（ステップＳ１３：ＮＯ）には、飲料容器を洗浄し（ステップＳ２１）、飲料物を充填する（ステップＳ２２）。
【００７４】
これにより、飲料容器の飲料保管手段を洗浄し、飲料物を充填することができ、更に、飲料容器と飲料物充填装置との間で互いに通信を行い情報のやり取りを行うことができる。
【００７５】
また、飲料容器に装着されている飲料物を除去し、他の飲料物に交換することにより、飲料物を充填することができ、更に、飲料容器と飲料物充填装置との間で互いに通信を行い情報のやり取りを行うことができる。
【００７６】
［おすすめ飲料物情報表示処理］
次に、図８のフローチャートを用いて、おすすめ飲料物情報表示処理について説明する。
【００７７】
図８（ａ）は、飲料容器におけるおすすめ飲料物情報表示処理を示すフローチャートであり、（ｂ）は、飲料物充填装置におけるおすすめ飲料物情報表示処理を示すフローチャートである。
【００７８】
まず、飲料容器が飲料物充填装置に配置されると、飲料容器の固有情報と、履歴情報を飲料物充填装置に送信する（ステップS３１）。
【００７９】
次に、飲料物充填装置は、飲料容器から飲料容器の固有情報、履歴情報を受信すると（ステップS４１）、飲料容器の固有情報、履歴情報、飲料物購入時情報の少なくともいずれか一つに基づいて、おすすめ飲料物を決定し（ステップＳ４２）、おすすめ飲料物に関するおすすめ飲料物情報を表示部に表示する（ステップＳ４３）。
【００８０】
具体的には、図１３に示すように、おすすめ飲料物に関するおすすめ飲料物情報を表示部３１に表示し、更に、操作部が点滅するようにして飲料容器保持者に注意換気を与えてもよい。なお、おすすめ飲料物情報を飲料容器の表示部に表示するようにしてもよい。
【００８１】
これにより、飲料関連情報、飲料容器保持者が飲料物を購入する際の飲料物購入時情報に基づいておすすめの飲料物を決定するため、飲料容器保持者に合わせた飲料物をすすめることができる。
【００８２】
［履歴確認処理］    
次に、図９のフローチャートを用いて、履歴確認処理について説明する。
【００８３】
図９（ａ）は、飲料容器における履歴確認処理を示すフローチャートであり、（ｂ）は、飲料物充填装置における履歴確認処理を示すフローチャートであり、（ｃ）は、管理装置における履歴確認処理を示すフローチャートである。
【００８４】
まず、飲料容器が飲料物充填装置に配置されると、飲料容器は、飲料容器の固有情報と履歴情報を飲料物充填装置に送信する（ステップS５１）。
【００８５】
飲料容器の固有情報とは、容器名称、製造番号、メーカー名や、ある飲料容器保持者の保持する飲料容器を特定するために飲料容器毎に設けられた番号等である。なお、飲料容器の固有情報に飲料容器保持者情報(性別、年齢等)を含めてもよい。
【００８６】
飲料容器の履歴情報とは、喫飲履歴情報（回数、日時）、摂取カロリー積算値、飲料購入履歴（飲料種類、購入日時）、飲料購入ポイント（積算値）や、飲料容器保持者に関する心拍履歴（値、日時）、血圧履歴（血圧上下値、日時）、外気温履歴（値、日時）、液温履歴（値、日時）等である。
【００８７】
次に、飲料物充填装置は、飲料容器から飲料容器の固有情報、履歴情報を受信し（ステップＳ６１）、得られた飲料容器の固有情報、履歴情報、飲料物購入時情報の少なくともいずれか一つに基づいて、お薦め飲料物を決定し、表示する（ステップS６２）。
【００８８】
飲料物購入時情報とは、飲料物充填装置の設置位置、飲料容器保持者が飲料物を購入しようとした日付時間等である。
【００８９】
飲料物充填装置の設置位置とは、飲料物充填装置が設置されている場所である。
【００９０】
次に、飲料容器保持者が購入する飲料物を選択すると、飲料物充填装置は、記憶部に記憶されている飲料物情報の中から飲料容器保持者によって購入すると決定された飲料物の飲料物情報を取得し、飲料物情報を飲料容器に送信し、飲料容器の固有情報と飲料物情報を管理装置に送信する（ステップS６３）。
【００９１】
飲料物情報とは、飲料物の固有情報、付随情報等が含まれる。
【００９２】
飲料物情報の固有情報とは、商品名称、飲料物を特定するために飲料物毎に設けられた製造番号であり、飲料容器保持者がどの飲料を購入したのかがわかるように、購入した飲料物を特定するためのもの、メーカー名等がある。
【００９３】
飲料物情報の付随情報とは、飲料物の単位量当たり栄養成分量（たんぱく質、脂質、炭水化物、ナトリウム、ビタミン、等）、単位量当たりカロリー(kcal/g)、消費・賞味期限(期間)、限界液温と短縮時間のセット、適温情報（喫飲適温範囲）等である。
【００９４】
次に、飲料容器は、飲料物充填装置から飲料物情報を受信すると（ステップS５２）、履歴情報に飲料物情報を保存する（ステップS５３）。
【００９５】
具体的には、記憶部の履歴情報に、飲料物情報を保存する。
【００９６】
これにより、履歴情報を確認すれば、飲料容器保持者が今までに購入した飲料物の種類や飲料物毎の付随情報等を調べることができる。
【００９７】
一方、管理装置は、飲料物充填装置から飲料容器の固有情報、飲料物情報を受信すると（ステップS７１）、飲料容器の履歴情報に、飲料物情報を保存する（ステップS７２）。
【００９８】
具体的には、飲料容器の固有情報を元に、飲料容器固有の履歴情報を検出し、購入した飲料物の固有情報と付随情報を履歴情報に記憶させておく。これにより、履歴情報を確認すれば、飲料容器保持者が今までに購入した飲料の種類や飲料物毎の付随情報等を調べることができる。
【００９９】
［宣伝情報による料金割引、ポイント加算処理］    
次に、図１０のフローチャートを用いて、宣伝情報による料金割引、ポイント加算処理について説明する。
【０１００】
図１０（ａ）は、飲料容器における宣伝情報による料金割引、ポイント加算処理を示すフローチャートであり、（ｂ）は、飲料物充填装置における宣伝情報による料金割引、ポイント加算処理を示すフローチャートであり、（ｃ）は、管理装置における宣伝情報による料金割引、ポイント加算処理を示すフローチャートである。
【０１０１】
まず、飲料容器が飲料物充填装置に配置されると、飲料容器は、飲料容器の固有情報と履歴情報を飲料物充填装置に送信する（ステップS８１）。
【０１０２】
次に、飲料物充填装置は、飲料容器から飲料容器の固有情報と履歴情報を受信し（ステップS９１）、得られた飲料容器の固有情報、履歴情報、飲料物購入時情報の少なくともいずれか一つに基づいて、お薦め飲料物を決定し、表示部に表示する（ステップS９２）。更に、割引料金、又は、加算ポイントを表示部に表示する（ステップＳ９３）。
【０１０３】
次に、飲料容器保持者が購入する飲料物を選択すると、飲料物充填装置は、記憶部に記憶されている飲料物情報の中から飲料容器保持者によって購入すると決定された飲料物の飲料物情報を取得し、飲料物情報を飲料容器に送信し、飲料容器の固有情報と飲料物情報を管理装置に送信する（ステップS９４）。更に、飲料容器保持者が割引、又は、ポイント加算対象の飲料物を選択した場合、飲料物に関連付けられた宣伝情報を飲料容器に送信する（ステップS９５）。
【０１０４】
宣伝情報とは、購入した飲料物に限らず何らかを宣伝するために作られた情報である。
【０１０５】
次に、飲料容器は、飲料物充填装置から飲料物情報を受信すると（ステップS８２）、履歴情報に飲料物情報を保存する（ステップS８３）。更に、飲料物充填装置から飲料物の宣伝情報を受信する（ステップS８４）と、表示部に宣伝情報を表示する（ステップS８５）。
【０１０６】
具体的には、図１に示すように、飲料容器の表示部に宣伝情報を表示する。なお、表示タイミング関しては、受信後設定時間後または指定時間に表示してもよい。
【０１０７】
一方、管理装置は、飲料物充填装置から飲料容器の固有情報、飲料物情報を受信すると（ステップS１０１）、飲料容器の履歴情報に、飲料物情報を保存する（ステップS１０２）。
【０１０８】
具体的には、飲料容器の固有情報を元に、飲料容器固有の履歴情報を検出し、購入した飲料物情報を履歴情報に記憶させておく。これにより、履歴情報を確認すれば、飲料容器保持者が今までに購入した飲料の種類や飲料物毎の付随情報等を調べることができる。
【０１０９】
このように、飲料容器の表示部に割引、又は、ポイント加算対象の飲料物に関連付けられた宣伝情報を表示することができ、その場合には飲料物を購入する際に割引、ポイント加算を受けることができる。
【０１１０】
［個別宣伝情報提供処理］    
次に、図１１のフローチャートを用いて、個別宣伝情報提供処理について説明する。
【０１１１】
図１１（ａ）は、飲料容器における個別宣伝情報提供処理を示すフローチャートであり、（ｂ）は、飲料物充填装置における個別宣伝情報提供処理を示すフローチャートであり、（ｃ）は、管理装置における個別宣伝情報提供処理を示すフローチャートである。
【０１１２】
まず、飲料容器が飲料物充填装置に配置されると、飲料容器は、飲料容器の固有情報と、履歴情報を飲料物充填装置に送信する（ステップS１１１）。
【０１１３】
次に、飲料物充填装置は、飲料容器から飲料容器の固有情報と履歴情報を受信し（ステップS１２１）、得られた飲料容器の固有情報、履歴情報、飲料物購入時情報の少なくともいずれか一つに基づいて、お薦め飲料物を決定し、表示部に表示する（ステップS１２２）。更に、割引料金、又は、加算ポイントを表示部に表示する（ステップＳ１２３）。
【０１１４】
次に、飲料容器保持者が購入する飲料物を選択すると、飲料物充填装置は、記憶部に記憶されている飲料物情報の中から飲料容器保持者によって購入すると決定された飲料物の飲料物情報を取得し、飲料物情報を飲料容器に送信し、飲料容器の固有情報と飲料物情報を管理装置に送信する（ステップS１２４）。更に、飲料容器保持者が割引、又は、ポイント加算対象の飲料物を選択した場合、得られた飲料物情報、飲料容器の固有情報、履歴情報、飲料物購入時情報の少なくともいずれか一つに基づいて、宣伝情報を決定し、宣伝情報を飲料容器に送信する（ステップＳ１２５）。
【０１１５】
次に、飲料容器は、飲料物充填装置から飲料物情報を受信すると（ステップS１１２）、履歴情報に飲料物情報を保存する（ステップS１１３）。更に、飲料物充填装置から飲料物の宣伝情報を受信する（ステップＳ１１４）と、表示部に宣伝情報を表示する（ステップS１１５）。
【０１１６】
具体的には、図１に示すように、飲料容器の表示部に宣伝情報を表示する。なお、表示タイミング関しては、受信後設定時間後または指定時間に表示してもよい。
【０１１７】
一方、管理装置は、飲料物充填装置から飲料容器の固有情報、飲料物情報を受信すると（ステップS１３１）、飲料容器の履歴情報に、飲料物情報を保存する（ステップS１３２）。
【０１１８】
このように、飲料物情報、飲料容器の固有情報、履歴情報、飲料物購入時情報に基づいて宣伝情報を決定することにより、飲料容器保持者に合わせた宣伝情報を飲料容器の表示部に表示することができ、その場合には飲料物を購入する際に割引、ポイント加算を受けることができる。
【０１１９】
［感知情報通信処理］    
次に、図１２のフローチャートを用いて、感知情報通信処理について説明する。
【０１２０】
図１２（ａ）は、飲料容器における感知情報通信処理を示すフローチャートであり、（ｂ）は、飲料物充填装置における感知情報通信処理を示すフローチャートであり、（ｃ）は、管理装置における感知情報通信処理を示すフローチャートである。
【０１２１】
まず、飲料容器が飲料物充填装置に配置されると、飲料容器は、飲料容器の固有情報と履歴情報と、センサにより取得した感知情報とを飲料物充填装置に送信する（ステップS１４１）。
【０１２２】
感知情報とは、感知手段である液面センサ、液温センサ、揺れ検知センサ、外気温センサ、心拍センサ、血圧センサ、照度センサ、個人認証センサにより取得された情報である。
【０１２３】
次に、飲料物充填装置は、飲料容器から飲料容器の固有情報、履歴情報と感知情報を受信し（ステップＳ１５１）、得られた飲料容器の固有情報、履歴情報、感知情報、飲料物購入時情報の少なくともいずれか一つに基づいて、お薦め飲料物を決定し、表示する（ステップS１５２）。
【０１２４】
次に、飲料容器保持者が購入する飲料物を選択すると、飲料物充填装置は、記憶部に記憶されている飲料物情報の中から飲料容器保持者によって購入すると決定された飲料物の飲料物情報を取得し、飲料物情報を飲料容器に送信し、飲料容器の固有情報と飲料物情報と感知情報を管理装置に送信する（ステップS１５２）。
【０１２５】
次に、飲料容器は、飲料物充填装置から飲料物情報を受信すると（ステップS１４２）、履歴情報に飲料物情報を保存する（ステップS１４３）。
【０１２６】
具体的には、記憶部の履歴情報に、飲料物情報を保存する。
【０１２７】
これにより、履歴情報を確認すれば、飲料容器保持者が今までに購入した飲料物の種類や飲料物毎の付随情報等を調べることができる。
【０１２８】
一方、管理装置は、飲料物充填装置から飲料容器の固有情報、飲料物情報、感知情報を受信すると（ステップS１６１）、飲料容器の履歴情報に、飲料物情報と感知情報を保存する（ステップS１６２）。
【０１２９】
具体的には、飲料容器の固有情報を元に、飲料容器固有の履歴情報を検出し、購入した飲料物の固有情報と付随情報と感知情報を履歴情報に記憶させておく。これにより、履歴情報を確認すれば、飲料容器保持者が今までに購入した飲料の種類や飲料物毎の付随情報等や飲料容器保持者に関する感知情報を調べることができる。
【０１３０】
以上説明したように、本実施形態によれば、飲料容器保持者は、飲料容器、又は、管理装置において、履歴情報を確認すれば、飲料容器保持者が今までに購入した飲料物の種類や飲料物毎の付随情報等を確認することができる。また、飲料容器保持者は購入時に履歴情報等に基づいたお薦め飲料物の提示を受けることができる。更に、飲料物製造者・販売者は、管理装置での履歴情報(販売情報)をマーケティングや新製品開発に生かすことができる。
【０１３１】
また、飲料容器保持者は、飲料容器保持者が割引、又は、ポイント加算対象の飲料物を購入した場合、飲料物を購入する際に割引、ポイント加算を受けることができる。更に、宣伝提供者は、飲料容器保持者が割引、又は、ポイント加算対象の飲料物を購入した場合、宣伝提供者は飲料容器の表示部に宣伝情報を表示することができる。
【０１３２】
また、飲料容器保持者が割引、又は、ポイント加算対象の飲料物を購入した場合、飲料物情報、飲料容器の固有情報、履歴情報、飲料物購入時情報に基づいて宣伝情報を決定することにより、飲料容器保持者に合わせた宣伝情報を飲料容器の表示部に表示することができる。その場合、飲料容器保持者は飲料物を購入する際に割引、ポイント加算を受けることができる。
【０１３３】
更に、飲料容器保持者の履歴情報を確認すれば、飲料容器保持者に関する感知情報を確認することができる。また、感知情報から、相性のよい飲料、リラックスできる飲料を知ることができる。更に、飲料容器保持者は購入時に履歴情報等に基づいたお薦め飲料物の提示を受けることができる。また、飲料製造者・販売者は管理装置での履歴情報(販売情報)をマーケティングや新製品開発に生かすことができる。
【図面の簡単な説明】
【０１３４】
【図１ａ】本実施形態に係る飲料容器の概略図である。
【図１ｂ】（ａ）本実施形態に係る他の飲料容器の外観を示す概略図であり、（ｂ）本実施形態に係る他の飲料容器の内部を示す概略図である。
【図２】（ａ）飲料物保管部について説明する図であり、（ｂ）飲料物保管部の他の形態について説明する図である。
【図３】飲料容器の細部構成を示すブロック図である。
【図４】飲料物充填装置の概略図である。
【図５】飲料物充填装置の細部構成を示すブロック図である。
【図６】管理装置の細部構成を示すブロック図である。
【図７】飲料物充填処理を示すフローチャートである。
【図８】おすすめ飲料物表示処理を示すフローチャートである。
【図９】履歴確認処理を示すフローチャートである。
【図１０】宣伝情報による料金割引、ポイント加算処理を示すフローチャートである。
【図１１】個別宣伝情報提供処理を示すフローチャートである。
【図１２】感知情報通信処理を示すフローチャートである。
【図１３】飲料物充填装置の表示部を示す図である。
【図１４】クレードルを説明するための図である。
【符号の説明】
【０１３５】
１１・・・飲料出入部
１２・・・飲料保持部
１３・・・表示部
１４・・・センサ
１５・・・電池
１６・・・操作部
１７・・・飲料容器用蓋
２１・・・記憶部
２２・・・制御部
２３・・・通信部
１０・・・飲料容器
２０・・・飲料物充填装置
３０・・・管理装置
４０・・・置き台
３１・・・表示部
３２・・・操作部
３３・・・飲料容器設置部
３４・・・飲料見本展示部
３５・・・料金徴収部
３６・・・料金返却部
４１・・・記憶部
４２・・・充電部
４４・・・飲料物充填部
４５・・・飲料容器洗浄部
４６・・・除去交換部
４７・・・第一通信部
４８・・・第二通信部
４９・・・制御部
５１・・・記憶部
５２・・・通信部
５３・・・制御部
【図１ａ】
2010049576.tif 000003
【図１ｂ】
2010049576.tif 000004
【図２】
2010049576.tif 000005
【図３】
2010049576.tif 000006
【図４】
2010049576.tif 000007
【図５】
2010049576.tif 000008
【図６】
2010049576.tif 000009
【図７】
2010049576.tif 000010
【図８】
2010049576.tif 000011
【図９】
2010049576.tif 000012
【図１０】
2010049576.tif 000013
【図１１】
2010049576.tif 000014
【図１２】
2010049576.tif 000015
【図１３】
2010049576.tif 000016
【図１４】
2010049576.tif 000017